(57)【要約】【課題】開閉扉にスリットを形成することなく、内部に収納した機器を外部からリモートコントローラーにより操作することができる機器収納具を提供する。【解決手段】  内部に機器を収納できるとともに、少なくとも前側が開口する収納空間１２を形成した本体部１０と、収納空間１２の前側開口部１１を開閉する開閉扉１５を有し、開閉扉１５を閉じた状態において、開閉扉１５の外周部の少なくとも一部と、本体部１０の前端部との間に、リモートコントローラーから発せられた電磁波が、開閉扉１５の外側から収納空間１２内へと通過できる隙間２２を形成した。【選択図】  図６
2019205632.tif 000002
【特許請求の範囲】
【請求項１】
内部に機器を収納できるとともに、少なくとも前側が開口する収納空間を形成した本体部と、前記収納空間の前側開口部を開閉する開閉扉を有する機器収納具であって、
前記開閉扉を閉じた状態において、前記開閉扉の外周部の少なくとも一部と、前記本体部の前端部との間に、リモートコントローラーから発せられた電磁波が、前記開閉扉の外側から前記収納空間内へと通過できる隙間を形成したことを特徴とする機器収納具。
【請求項２】
前記開閉扉において、前記隙間を形成した部分の外周部における裏側部は、裏側に向かうほど、開閉扉の中央側に位置するように形成されていることを特徴とする請求項１記載の機器収納具。
【請求項３】
前記本体部において、前記隙間を形成した部分の前面における収納空間側部は、開口部側から奥側に向かうほど、収納空間側に位置するように形成されていることを特徴とする請求項1又は２記載の機器収納具。
【請求項４】
前記隙間を形成した部分において、前記開閉扉の外周面は、前記本体部の内面より、収納空間側に位置していることを特徴とする請求項１乃至３のいずれか１項に記載の機器収納具。
【請求項５】
前記開閉扉を閉じた状態において、前記開閉扉の下端部と、前記本体部を構成する下板の前端部との間に、前記隙間を形成したことを特徴とする請求項1乃至４の何れか１項に記載の機器収納具。
【発明の詳細な説明】
【技術分野】
【０００１】
本発明は、機器収納具に関するものである。
【背景技術】
【０００２】
従来、テレビボードなど、その内部にＡＶ機器を収納できる機器収納具として、その質感等の向上の観点から、その扉を木材で形成することが行われている。
【０００３】
しかし、木材は、その板厚が厚くなると、内部に収納したＡＶ機器を操作するための、リモートコントローラーから発せられた赤外線が透過できないため、この赤外線が通過できるように、扉に、その表裏を貫通するとともに横方向に長いスリットを、上下に適宜間隔を有して複数形成することが行われている（例えば特許文献１参照）。
【先行技術文献】
【特許文献】
【０００４】
【特許文献１】特開２０１６−５２３８４号公報
【発明の概要】
【発明が解決しようとする課題】
【０００５】
上記従来の機器収納具においては、扉に、その表裏を貫通するとともに横方向に長いスリットを、上下に適宜間隔を有して複数形成するため、この複数のスリットが、扉の前面に施す意匠の外観を制約する。
【０００６】
そこで、本発明は、扉にスリットを形成することなく、内部に収納した機器を外部からリモートコントローラーにより操作することができる機器収納具を提供することを目的とするものである。
【課題を解決するための手段】
【０００７】
前記の課題を解決するために、請求項１記載の発明は、内部に機器を収納できるとともに、少なくとも前側が開口する収納空間を形成した本体部と、前記収納空間の前側開口部を開閉する開閉扉を有する機器収納具であって、
前記開閉扉を閉じた状態において、前記開閉扉の外周部の少なくとも一部と、前記本体部の前端部との間に、リモートコントローラーから発せられた電磁波が、前記開閉扉の外側から前記収納空間内へと通過できる隙間を形成したことを特徴とするものである。
【０００８】
請求項２記載の発明は、請求項１記載の発明において、前記開閉扉において、前記隙間を形成した部分の外周部における裏側部は、裏側に向かうほど、開閉扉の中央側に位置するように形成されていることを特徴とするものである。
【０００９】
請求項３記載の発明は、請求項１又は２記載の発明において、前記本体部において、前記隙間を形成した部分の前面における収納空間側部は、開口部側から奥側に向かうほど、収納空間側に位置するように形成されていることを特徴とするものである。
【００１０】
請求項４記載の発明は、請求項１乃至３のいずれか１項に記載の発明において、前記隙間を形成した部分において、前記開閉扉の外周面は、前記本体部の内面より、収納空間側に位置していることを特徴とするものである。
【００１１】
請求項５記載の発明は、請求項1乃至４の何れか１項に記載の発明において、
前記開閉扉を閉じた状態において、前記開閉扉の下端部と、前記本体部を構成する下板の前端部との間に、前記隙間を形成したことを特徴とするものである。
【発明の効果】
【００１２】
本発明の機器収納具は、本体部と開閉扉を有し、その開閉扉を閉じた状態において、前記開閉扉の外周部と、前記本体部の前端部との間に、リモートコントローラーから発せられた電磁波が、前記開閉扉の外側から前記収納空間内へと通過できる隙間を形成したことにより、上記従来技術における横方向に長いスリットを開閉扉に形成する必要がなく、開閉扉の前面に施すことができる意匠の自由度が、上記従来技術と比較して広く増大する。
【図面の簡単な説明】
【００１３】
【図１】本発明の実施例１に係る機器収納具の斜視図。
【図２】図１の状態から開閉扉を開いた状態の斜視図。
【図３】図１の上面図。
【図４】図１の正面図。
【図５】図１の右側面。
【図６】図４のＧ−Ｇ線断面図。
【図７】本発明の実施例１の機器収納具の他例の縦断面図。
【図８】本発明の実施例２の機器収納具の一例の縦断面図。
【発明を実施するための形態】
【００１４】
本発明の機器収納具は、その内部にリモートコントローラーから発せられた赤外線や電波などの電磁波により操作できる機器を収納することがでる物品であれば、任意の物品に適用することができ、以下の実施例では、本発明の機器収納具をテレビボードに適用した例に基づいて説明する。
【００１５】
［実施例１］
図１は、本発明の実施例１に係る機器収納具であるテレビボード１の斜視図を示し、その矢印Ａ側を前側（表側）、矢印Ｂを後側、矢印Ｃ側を上側、矢印Ｄ側を下側、矢印Ｅ側を右側、矢印Ｆ側を左側として以下、説明する。
【００１６】
テレビボード１は、左右に位置して一対の側板２，３を有し、その側板２，３の上端部間には上板４を架設し、側板２，３の下部間には下板５が架設され、側板２，３の後側端部間には、裏板６が設けられている。
【００１７】
下板５は、図６に示すように、テレビボード１を、リビング等の部屋内に設置した際に、そのフロアー面ＦＬから上方へ所定距離離間するように設けられ、下板５の下部には空間９が形成されている。
【００１８】
側板２，３、上板４、下板５、裏板６により箱状の本体部１０が形成され、本体部１０内には、少なくとも前面に開口部１１を有する収納空間１２が形成されている。
【００１９】
収納空間１２内には、図２に示すように、仕切板１３が左右方向に３枚設けられ、収納空間１２は第１収納空間１２ａ、第２収納空間１２ｂ、第３収納空間１２ｃ、第４収納空間１２ｄに区画されている。この仕切板１３の数は任意に設定できるとともに、設けなくてもよい。
【００２０】
第１収納空間１２ａ内と第４収納空間１２ｄ内には、夫々、引き出し１４，１４が前後方向に移動可能に設けられている。
【００２１】
第２収納空間１２ｂ、第３収納空間１２ｃにおける開口部１１，１１には、開口部１１を開閉する開閉扉１５，１５が、夫々、設けられている。開閉扉１５の開閉方向は、左右方向でも上下方向でもよく、任意に設定することができる。また、開閉扉１５の数は任意に設定することができる。本実施例では、図２に示すように、一対の開閉扉１５，１５を観音開き状に配置した。
【００２２】
第２収納空間１２ｂ、第３収納空間１２ｃ内には、夫々、棚板１７が設けられている。棚板１７の前端は、開閉扉１５を閉じた状態において、図６に示すように、開閉扉１５における裏面の近傍に位置するようにしてもよいし、図７に示すように、開閉扉１５の裏面との間に空間１８が形成されるようにしてもよい。
【００２３】
図６に示すように、開閉扉１５を閉じた状態において、開閉扉１５の下端１５ａを、下板５の上面５ａより上方に位置させるとともに、開閉扉１５と本体部１０を構成する下板５との間に、テレビボード１の前側に位置するリモートコントローラー２０から発せられた赤外線や電波などの電磁波２１が、直接又は、フロアー面ＦＬ等で反射した後に通過できる隙間２２が形成されている。
【００２４】
また、開閉扉１５の下面における裏側部は、図６に示すように、開閉扉１５の表側から裏側に向かうほど、開閉扉１５の面方向の中央側（開閉扉１５が閉じた状態の上Ｃ側）に位置するように形成されており、本実施例では、この裏側部を、傾斜面１５ｂで構成した。
【００２５】
また、下板５の前面における収納空間１２側である上Ｃ側部において、少なくとも隙間２２を形成した部分は、開口部１１側から奥側Ｂに向かうほど収納空間１２側である上Ｃ側に位置するように形成されており、本実施例では、この上Ｃ側部を傾斜面５ｂで構成した。
【００２６】
この下板５の傾斜面５ｂと、開閉扉１５の傾斜面１５ｂは、対向するとともに相互に離間して設けられ、これらの間の空間が隙間２２の一部を構成している。
【００２７】
テレビボード１を上記のように構成したことにより、図６に示すように、下板５の上に機器２５を載置するとともに、開閉扉１５を閉じた状態において、テレビボード１の外側に位置するリモートコントローラー２０を操作し、電磁波２１を用いた信号が発信され、その電磁波２１は、直接又は、フロアー面ＦＬ等で反射した後に、隙間２２を通過して収納空間１２内に達し、機器２５の受信部において受信され、その機器２５を操作することができる。
【００２８】
そのため、開閉扉１５を、リモートコントローラー２０から発せられた電磁波２１が透過しない素材で構成した場合においても、その電磁波２１は隙間２２を通ることで、機器２５により受信され、機器２５を操作することができる。
【００２９】
これにより、開閉扉１５の前面に施すことができる意匠の自由度は、上記従来技術と比較して広く増大する。
【００３０】
また、図７に示すように、開閉扉１５の裏面と棚板１７の前端面１７ａとの間に空間１８を形成した場合には、開閉扉１５を閉じた状態において、リモートコントローラー２０から発せられた電磁波２１を用いた信号が、収納空間１２ｂ，１２ｃ内における棚板１７の下部の空間内で反射した後に、空間１８内を通ることができるため、棚板１７の上に、機器２５を設置した場合においても、その機器２５の受信部において、信号を受信し、その機器を操作することができる。
【００３１】
また、開閉扉１５が閉じた状態において、隙間２２内に手の指を挿入し、開閉扉１５の下端を持ち、手前に引くことで開閉扉１５を、開くことができる。
【００３２】
なお、上記実施例では、開閉扉１５の下端１５ａを、下板５の上面５ａより上方に位置させたが、開閉扉１５と下板５との間に、リモートコントローラー２０から発せられた電磁波２１が通過できる隙間２２が形成されていれば、開閉扉１５の下端１５ａを、下板５の上面５ａより下方に位置させてもよい。
【００３３】
［実施例２］
上記実施例１においては、開閉扉１５と下板５との間に隙間２２を形成したが、本体部１０の前端部と開閉扉１５の外周部との間に、この隙間２２と同様の隙間２２を形成し、外部に位置するリモートコントローラー２０から発せられた電磁波２１が、隙間２２を通って、収納空間１２内に達することができるようにしてもよい。
【００３４】
また、隙間２２は、開閉扉１５の外周部において、少なくともその一つの端部の長手方向全体に亘って形成されていればよく、開閉扉１５の上端部や、左右の側端部の一方などに形成してもよい。例えば、図８に示すように、開閉扉１５Ａの上端部と下端部の夫々の長手方向全体に亘って、隙間２２，２２を形成してもよい。
【００３５】
開閉扉１５の外周部に形成する隙間２２は、上記実施例１と同様の断面形状に形成し、開閉扉１５を閉じた状態において、開閉扉１５において、隙間２２を形成した部分の外周部における裏側部は、裏側に向かうほど、開閉扉の面方向の中央側に位置するように形成するとともに、本体部１０において、隙間２２を形成した部分の前面における収納空間１２側部は、開口１１側Ａから奥側Ｂに向かうほど、収納空間１２側に位置するように形成する。
【００３６】
開閉扉１５の外周部の隙間２２を形成した部分において、開閉扉１５の外周端は、本体部１０の内側面より、収納空間１２側に位置してもよいし、外側に位置する位置関係となってもよい。
【００３７】
上記以外の構成は、上記実施例１と同様であるため、上記実施例１と同様の部分には、上記と同じ符号を付してその説明を省略する。
【００３８】
本実施例２においても、上記実施例１と同様の作用、効果を奏する。
【符号の説明】
【００３９】
１  機器収納具
１０  本体部
１２  収納空間
１５  開閉扉
２２  隙間
【図１】
2019205632.tif 000003
【図２】
2019205632.tif 000004
【図３】
2019205632.tif 000005
【図４】
2019205632.tif 000006
【図５】
2019205632.tif 000007
【図６】
2019205632.tif 000008
【図７】
2019205632.tif 000009
【図８】
2019205632.tif 000010